(57)【要約】【課題】  非接触型の情報記録媒体との間で情報通信を行う無線端末に、新たな機能を簡単に付加できる無線端末用装着体を提供する。【解決手段】  装着体２０は、非接触型のＩＣカード１２との間で送受信して情報通信を行う無線端末１１に装着されるものであり、無線端末１１からの電磁波によって誘導起電力を発生するアンテナ部２８を有する。また、装着体２０は、アンテナ部２８で発生した誘導起電力によって所定の音を発する発音部３１と、所定の光を発する発光部３２とを有する。装着体２０では、無線端末１１から常時または断続的に発する電磁波をアンテナ部２８で拾い、この電磁波を利用して発音部３１および発光部３２を駆動する。【選択図】  図１
2013182311.tif 000002
【特許請求の範囲】
【請求項１】
非接触型の情報記録媒体との間で送受信して情報通信を行う無線端末に装着される装着体であって、
前記無線端末からの電磁波により誘導起電力を発生するアンテナ部と、
前記誘導起電力によって駆動され所定の機能を発揮する少なくとも１つの出力部と、を有することを特徴とする無線端末用装着体。
【請求項２】
前記出力部の１つとして、音を発する発音部を有することを特徴とする請求項１に記載の無線端末用装着体。
【請求項３】
前記出力部の１つとして、光を発する発光部を有することを特徴とする請求項１または２に記載の無線端末用装着体。
【請求項４】
前記発音部の振動により電力を発生する圧電素子を有し、
前記発光部は、前記圧電素子で発生する電力によって駆動されることを特徴とする請求項３に記載の無線端末用装着体。
【請求項５】
所定の表示を備えた表示部を有することを特徴とする請求項１〜４のいずれかに記載の無線端末用装着体。
【請求項６】
前記表示部は、前記アンテナ部に対して着脱可能であることを特徴とする請求項５に記載の無線端末用装着体。
【請求項７】
広告が印刷された加飾フィルムを表面に有することを特徴とする請求項１〜６のいずれかに記載の無線端末用装着体。
【発明の詳細な説明】
【技術分野】
【０００１】
本発明は、無線端末用装着体に関し、より詳細には、非接触型の情報記録媒体との間で情報通信を行う無線端末に装着される装着体に関する。
【背景技術】
【０００２】
従来、商品等の展示品の近くに設置され、展示品に関する情報を音声で提供する音声ガイド装置が知られている。
【０００３】
この音声ガイド装置には、音声の録音・再生を行う音声ユニットが内蔵される。音声ユニットは、入力用マイクロフォンで入力された音声を録音し、たとえば、操作スイッチが操作される度に、録音した音声を再生して出力用スピーカーから出力する。したがって、展示品を展示する販売者は、展示品に関する説明を入力用マイクロフォンにより予め音声ユニットに録音しておくことができ、一方、購買者は、操作スイッチを操作することで、録音された音声を出力用スピーカーから聞いて展示品の詳しい情報を得ることができる。
【０００４】
このように、音声ガイド装置は、販売者および購買者の双方にとって利便性が高く、合理的でかつ訴求力の高い情報提供手段である。また、音声による情報提供と同様に、光による演出を取り入れた広告なども、商品やサービスを訴求するうえで有効な情報提供手段である。
【０００５】
ところで、このような合理的でかつ訴求力の高い情報提供を、より多くの人に対して効果的に行いたいという要望が高まっている。このような要求に応えるには、公共に広く普及している装置や物品に、音や光による情報提供機能を付与することが好適である。
【０００６】
近年、公共に広く普及している装置として、一般にＲＦ（Radio Frequency）端末と呼ばれる無線端末がある。この無線端末では、非接触型のＩＣ（Integrated Circuit）カードや携帯電話との間で情報通信を行い、これにより、電子マネーの決済等を行う。このような無線端末は、たばこや清涼飲料の自動販売機、あるいは、駅の自動改札や販売店のレジなど、様々な場所に設置されており、利用分野も拡大している。このように広く普及し、多くの人の目に止まる無線端末に、音や光を用いた新たな機能を付与できれば、効果的な情報提供を行うことができる。
【０００７】
特許文献１には、非接触型のＩＣカードにスピーカーを設け、ＩＣカードと無線端末との処理結果について、音声情報をスピーカーから出力できるようにした音声出力機能付きＩＣカードが開示されている。この特許文献１に開示される技術のように、ＩＣカード等の情報記録媒体に対しては、音声による情報提供機能を付与する技術がある。
【先行技術文献】
【特許文献】
【０００８】
【特許文献１】特開２００２−２２２３９６号公報
【発明の概要】
【発明が解決しようとする課題】
【０００９】
しかしながら、従来、上述した無線端末に対しては、通信機能以外の新たな機能（たとえば音声出力機能など）を付与した技術はない。したがって、無線端末に新たな機能を付与するための技術が望まれる。
【００１０】
本発明は、このような事情に鑑みてなされたものであり、その目的は、無線端末に新たな機能を簡単に付加することができる無線端末用装着体を提供することにある。
【課題を解決するための手段】
【００１１】
本発明の無線端末用装着体は、非接触型の情報記録媒体との間で送受信して情報通信を行う無線端末に装着される装着体であって、前記無線端末からの電磁波により誘導起電力を発生するアンテナ部と、前記誘導起電力によって駆動され所定の機能を発揮する少なくとも１つの出力部と、を有することを特徴とする。
【００１２】
上記発明の無線端末用装着体は、前記出力部の１つとして、音を発する発音部を有することを特徴とする。
上記発明の無線端末用装着体は、前記出力部の１つとして、光を発する発光部を有することを特徴とする。
上記発明の無線端末用装着体は、前記発音部の振動により電力を発生する圧電素子を有し、前記発光部は、前記圧電素子で発生する電力によって駆動されることを特徴とする。
上記発明の無線端末用装着体は、所定の表示を備えた表示部を有することを特徴とする。
上記発明の無線端末用装着体では、前記表示部は、前記アンテナ部に対して着脱可能であることを特徴とする。
上記発明の無線端末用装着体は、広告が印刷された加飾フィルムを表面に有することを特徴とする。
【発明の効果】
【００１３】
本発明によれば、無線端末から発生する電磁波を拾い、この電磁波を利用して、所定の機能を出力部に発揮させることができる。したがって、装着するだけで、無線端末に新たな機能を簡単に付加できる無線端末用装着体が提供される。
【図面の簡単な説明】
【００１４】
【図１】本発明にかかる第１実施形態の無線端末用装着体を備えた無線通信システムの全体構成を示す斜視図である。
【図２】無線端末用装着体を無線端末に装着した状態を示す斜視図である。
【図３】図１に示された無線端末用装着体を平面状に展開した展開図であり、（ａ）は平面図、（ｂ）は平面断面図である。
【図４】図１に示された無線端末用装着体の内部構成を示すブロック図である。
【図５】図３（ａ）のＡ−Ａ線断面図である。
【図６】図１に示された無線端末用装着体の作用図である。
【図７】第２実施形態の無線端末用装着体を示す図であり、図５の変更図である。
【図８】第３実施形態の無線端末用装着体を備えた自動販売機の斜視図である。
【図９】第４実施形態の無線端末用装着体の構成を示す図である。
【発明を実施するための形態】
【００１５】
（第１実施形態）
以下、添付図面を参照して、本発明を実施するための第１実施形態について詳細に説明する。なお、実施形態の説明の全体を通して同じ要素には同じ番号を付している。また、図面は、符号の向きに見るものとする。また、図中および実施形態において、「前」、「後」は、各々、無線端末用装着体に正対する購買者から見たときの「手前側」、「奥側」の方向を示す。
【００１６】
第１実施形態は、本発明の無線端末用装着体（以下、「装着体」という）を、商品やサービス等の広告を行うＰＯＰ（Point Of Purchase）表示体に用いた例である。
【００１７】
図１は、第１実施形態の装着体を備えた無線通信システムを示す斜視図である。
図１に示すように、無線通信システム１０は、無線端末（ＲＦ端末）１１と、非接触型のＩＣカード（情報記録媒体の一例）１２とを有する。そして、無線端末１１には、装着体２０が装着される。
【００１８】
無線端末１１は、販売店のレジ等に設置され、電子マネーの決済処理等を行うためのリーダ／ライタ装置である。無線端末１１の上面には、平面状の読み取り面１３が設けられる。読み取り面１３には、ＩＣカード１２をかざす位置を購買者に認識させるための表示（ここでは、「タッチしてください」の文字）が施される。また、この読み取り面１３からは、無線端末１１に内蔵されたアンテナ１１ａ（図４参照）によって所定の周波数の電波が発生する。無線端末１１は、ＩＣカード１２との間で電波を送受信することにより、ＩＣカード１２に対してデータの読み取り・書き込みを行う。
【００１９】
なお、この例では、無線端末の一例としては、単体の無線端末１１を示したが、無線端末は、たとえば会計用のレジ等に一体化されたものでもよく、形態は任意である。また、情報記録媒体の一例として、ＩＣカード１２を示したが、情報記録媒体は、たとえば携帯電話でもよく、種類は任意である。
【００２０】
次に、装着体２０の全体構成を図２に基づいて説明する。
図２は、図１において、装着体２０を無線端末１１に装着した状態を示す図である。図２に示すように、装着体２０は、無線端末１１の読み取り面１３（図１参照）に載置される取り付け部２１と、取り付け部２１の後端に折り曲げ線２２を介して連なる連結部２３と、連結部２３の上端に折り曲げ線２２を介して連なる広告表示部（表示部の一例）２５とを有する。装着体２０は、平板状の薄い積層体を折り曲げ線２２で折り曲げることで、図２に示した形態に形成される。なお、折り曲げた装着体２０には、必要に応じて、形態を保持するための補強部材を設けてもよい。
【００２１】
取り付け部２１は、平面視で長方形状を呈し、読み取り面１３（図１参照）のほぼ全体を覆う大きさに形成される。また、取り付け部２１の上側には、読み取り面１３（図１参照）と同じ表示（ここでは、「タッチしてください」の文字）２６が施されている。これにより、読み取り面１３（図１参照）が取り付け部２１で覆われても、購買者は、表示２６によりＩＣカード１２をかざす位置を認識することができる。取り付け部２１を読み取り面１３（図１参照）に取り付けるための手段は、接着や嵌合など各種の手段から選択可能である。
【００２２】
広告表示部２５は、連結部２３の上端から後方へ斜め上方に傾斜するように設けられる。これにより、広告表示部２５の前面は、前上方に向き、購買者の顔に指向している。広告表示部２５の前面側には、広告を目的とした表示２７が施される。この表示２７は、商品やサービス等に関連する文字や絵、記号、図形、模様、写真、キャラクター等により形成される。また、広告表示部２５は、発光部３２（後述）に対応する位置に透光部２７ａを有する。この透光部２７ａは、光を透過可能であり、任意の形状（ここでは星形）に形成される。なお、広告表示部２５は、搖動する広告体（いわゆるスイングＰＯＰ）に構成してもよい。
【００２３】
次に、装着体２０の内部構成を図３、図４に基づいて説明する。
図３（ａ）は図１に示された装着体２０を平面状に展開したときの平面図であり、（ｂ）は、装着体２０の内部構成を示す平面断面図である。図４は、図２に示された装着体２０の内部構成を示すブロック図である。
【００２４】
図３（ａ）に示すように、装着体２０の取り付け部２１には、アンテナ部２８が内蔵される。一方、広告表示部２５には、発音部３１および発光部３２が内蔵される。なお、この例では、発音部３１および発光部３２からなる２つの出力部を装着体２０に設けたが、広告の内容によっては、発音部３１または発光部３２のいずれか一方の出力部を設けるようにしてもよい。
【００２５】
図３（ｂ）に示すように、アンテナ部２８は、アンテナ回路３３を構成するコイルアンテナであり、長方形の取り付け部２１の周方向に沿って渦巻き状に形成される。図４に示すように、アンテナ部２８は、取り付け部２１が無線端末１１に取り付けられた状態において、無線端末１１のアンテナ部１１ａからの電磁波（矢印（１）で示す）により、誘導起電力を発生する。なお、取り付け部２１を通過した電磁波（矢印（２）で示す）は、ＩＣカード１２（図１参照）との送受信に用いられる。
【００２６】
図３（ｂ）に戻る。図３（ｂ）に示すように、発音部３１は、発音回路３５に搭載され、この発音回路３５は、アンテナ回路３３に接続される。発音回路３５には、発音部３１の他、録音再生用ＩＣやコンデンサ、抵抗等が搭載される。発音部３１等の搭載には、はんだや、はんだペースト、導電性接着剤、異方導電性接着剤を用いる。録音再生用ＩＣには、広告の内容に応じた所定の音（音声や効果音等）が予め記録される。発音部３１は、ボタン式の小型スピーカーや、圧電素子を利用したフィルムスピーカー等で構成される。発音部３１は、アンテナ部２８に発生した誘導起電力によって駆動され、録音再生用ＩＣに記録された所定の音（たとえば、「ありがとうございました」等の音声）を所定のタイミングで発する。また、発音回路３５では、アンテナ部２８で発生した誘導起電力をコンデンサに必要量蓄え、この蓄えた電力を使用して所定の音量の音響を発音部３１から発生させることが可能である。
【００２７】
なお、無線端末１１（図１参照）には、電磁波を常時発するタイプや、電磁波を断続的に発するタイプあるいはＩＣカード１２（図１参照）と通信するときのみに電磁波を発するタイプなどがある。このため、発音部３１から音を発生させるタイミングは、無線端末１１のタイプに従って適宜設定される。
【００２８】
発光部３２は、発光回路３６に搭載される。発光回路３６は、発音回路３５に接続される。発光部３２は、広告の内容に応じた所定の光を発する。発光部３２は、ＬＥＤ（発光ダイオード）など各種の発光体から選択可能である。
【００２９】
ここで、発光部３２を駆動するための電力について述べる。
発光部３２は、発音部３１と同様に、アンテナ部２８に発生する誘導起電力で直接的に駆動することも可能である。しかし、この場合、装着体２０における電力の消費量が増大するため、電力不足が懸念される。そこで、本発明者らは、圧電素子を装着体２０に設け、この圧電素子の圧電効果を利用することにより、省エネルギー化を図ることを見出した。
【００３０】
たとえば、図４に示すように、発音部３１の音源あるいは増幅器等の振動（振動エネルギー）により起電力を発生する圧電素子３７を設け、この圧電素子３７の圧電効果により得られる電力を、少なくとも１対の電極線３７ａ（図３（ｂ）参照）で発光部３２に導き、発光部３２を発光させる。結果、アンテナ部２８に発生する誘導起電力への依存を抑え、省エネルギー化を実現することができる。なお、圧電素子３７を設ける位置は、格別に限定されるものではなく、圧電素子３７の種類や形状等に応じて任意に設定可能である。
【００３１】
この圧電素子３７には、いわゆる圧電フィルムを用いることができる。圧電フィルムとしては、たとえば、ポリフッ化ビニリデン製の一軸延伸フィルムを高電圧で分極処理したものがある。この種の圧電フィルムは、良好な加工性が得られ、かつ、大きな面積での薄膜化が容易なため、薄い装着体２０には好適である。
【００３２】
次に、装着体２０の積層構造および回路の形成方法を図５に基づいて説明する。
図５に示すように、装着体２０は、ベースフィルム３８を有する。ベースフィルム３８の上には、アンテナ回路３３、発音回路３５および発光回路３６からなる回路が設けられる。回路の上には、ベースフィルム３８と同一の平面形状の加飾フィルム４１が積層される。
【００３３】
このように薄く構成される装着体２０に回路を形成する方法には、２つの方法が考えられる。１つは、ＦＰＣ（Flexible Printed Circuits）を用いる方法（以下、「形成方法１」と記す）であり、１つは、ベースフィルム３８に回路を印刷する方法（以下、「形成方法２」と記す）である。以下、形成方法１，２について説明する。
【００３４】
（形成方法１）
たとえば、ＦＰＣの基材として、ポリイミド、ポリエチレンテレフタレート、ポリアリレート等からなる材料を用い、回路部分には、金、銀、銅やアルミ、酸化インジウムスズ（ＩＴＯ）、ステンレス、ニッケル、チタン、シリコン等を用いて、回路パターンをエッチングして作製した後、ホットメルトや感圧接着剤、２液硬化型接着剤等を用いて、ＦＰＣをベースフィルム３８に貼り付ける。あるいは、ベースフィルム３８に加飾フィルム４１を熱圧着する際に、ベースフィルム３８と加飾フィルム４１の間にＦＰＣを挟むようにしてもよい。ＦＰＣの不要な部分は切り取る。なお、発音部３１や発光部３２等の搭載部品は、はんだで予め接続しておく。
【００３５】
（形成方法２）
ベースフィルム３８には、ポリエチレンテレフタレートや、ポリ塩化ビニル、アクリロニトリル・ブタジエン・スチレン（ＡＢＳ）、ポリカーボネート、ポリプロピレン、ポリエチレン、ポリスチレン、シクロオレフィンポリマー等、あるいは、これらのアロイに酸化チタン、マイカ、炭酸カルシウム、カーボン等のフイラーや劣化を防ぐ添加剤等を混ぜた材料からなるシートを用いる。このようなシートに、導電インク（たとえば、銀や銅、アルミニウム、ＩＴＯインク等）を用いて、回路パターンを印刷し、発音部３１等の搭載部品の接続箇所を作成する。回路はスルーホールまたはレジストインクを使用したジャンパー回路を設け、配線する。発音部３１等の搭載部品は、はんだや、はんだペースト、導電性接着剤、異方導電性接着剤等によって回路に搭載する。
【００３６】
続いて、加飾フィルム４１の構成について説明する。
加飾フィルム４１は、ベースフィルム３８に対して、取り外し不可能に取り付けてもよいし、または、着脱可能に取り付けてもよい。加飾フィルム４１をベースフィルム３８に取り付ける手段は、嵌合や熱圧着による取り付け、あるいは、面ファスナーや磁石、粘着剤、両面テープ、接着剤を用いた取り付けなど、任意の手段から選択可能である。
【００３７】
また、加飾フィルム４１の材質としては、ポリ塩化ビニルや、ポリフッ化ビニリデン、アクリル、ポリカーボネート、スチレン、ＡＢＳ、ポリエチレンテレフタレート、ポリアリレート、ポリエチレン、ポリプロピレン、ウレタン、シクロオレフィンポリマーおよびこれらのアロイなどがある。また、加飾フィルム４１の表面には、耐光性をよくするために、アクリルやポリフッ化ビニリデン等のフィルムを積層してもよい。また、加飾フィルム４１には、発光部３２の光を良好に透過させるため、透明あるいは半透明の部分（たとえば、図１に示した透光部２７ａ）を部分的に設けてもよい。このように構成される加飾フィルム４１の裏面には、取り付け部の表示２６（図１参照）および広告表示部の表示２７（図１参照）などが印刷される。
【００３８】
次に、装着体２０の製造例について述べる。ここでは、前述した回路の形成方法１，２のそれぞれに対応した製造例１，２を説明する。
【００３９】
（製造例１）
ＦＰＣにスピーカー（発音部３１）、ＬＥＤ（発光部３２）、抵抗、コンデンサを実装済みで、アンテナ回路３３等を備えた材料を準備し、白色のＡＢＳ樹脂製のベースフィルム３８を所定の形状にカットした。次に、このカットしたベースフィルム３８の所定の位置にＦＰＣを瞬間接着剤にて貼り付けた。そして、インクジェットで印刷を施した加飾フィルム（たとえば、インクジェット用のコーティングが施されたポリエチレンテレフタレート製のフィルム）を所定の形状にカットし、このカットした加飾フィルム４１をベースフィルム３８に位置合わせして積層した。この積層体の所定の位置（折り曲げ線２２（図１参照））を曲げて、装着体２０を得た。
【００４０】
（製造例２）
厚さ１８８μｍのポリエチレンテレフタレート製のベースフィルム３８（Ｓ−１０，東レ製）に、導電性インク（ＦＡ-３５３Ｎ，藤倉化成製）を使ってアンテナ回路３３、発音回路３５、発光回路３６を含む回路パターンのスクリーン印刷を行った。次に、レジスト印刷を行い、回路上の重なる部分を絶縁し、再度、導電性インクにてレジストの上に印刷し、導通していない回路を導通させた。次に、印刷パターンを所定の形状にカットした後、ディスペンサーを用いて実装用導電性インク（ＤＢＣ７５０Ｓ、パナソニック製）を所定の位置に滴下し、回路上に発音部３１、発光部３２、抵抗等の搭載部品を装着した。さらに、このベースフィルム３８を１００℃で１５分間、硬化させた。一方、加飾フィルム４１は、特殊コーティングを施したポリエチレンテレフタレート製のフィルムに、インクジェットによる印刷を施して作製した。そして、この加飾フィルム４１をベースフィルム３８に接着し、所定の位置（折り曲げ線２２（図１参照））を曲げて装着体２０を得た。
【００４１】
以上、説明した装着体２０の作用・効果を図６に基づいて説明する。
図６に示すように、無線端末１１に装着体２０を装着するだけで、広告表示部２５において、広告の内容に応じた音と光を、発音部３１と発光部３２から発生させることができる。したがって、無線端末１１に、訴求力の高いＰＯＰ表示体を設置することができる。また、無線端末１１に装着体２０を後付けできるので、無線端末１１を改良する必要がない。したがって、公共に広く普及した既設の無線端末１１に、効果的な情報提供機能を簡単に付加することができる。
【００４２】
また、無線端末１１からの電磁波により、発音部３１や発光部３２を駆動するため、装着体２０には電源が要らない。すなわち、無線端末１１から発する電磁波を有効活用して、省エネルギーに寄与することができる。さらに、圧電素子３７（図４参照）の圧電効果を利用して発光部３２を駆動させるようにすれば、さらなる省エネルギー化を実現することができる。また、この場合、発音部３１と発光部３２を連動させることができるので、目立って面白い広告を購買者に提供することもできる。
【００４３】
（第２実施形態）
次に、本発明にかかる第２実施形態の装着体を図７に基づいて説明する。
図７は、第２実施形態の装着体を示す図であり、図５の変更図である。なお、前述した第１実施形態の装着体と同じ要素には同じ符号を付して、重複する説明を省略することとする（後述する第３・第４実施形態についても同様）。
【００４４】
図７に示すように、第２実施形態は、第１実施形態における広告表示部２５（図５参照）を無くし、取り付け部２１Ａのみによって装着体２０Ａを構成した例である。この例では、発音部３１Ａをアンテナ部２８Ａの内側（たとえば中央位置）に配置する。発音部３１Ａは、第１実施形態と同様に、アンテナ部２８Ａに発生する誘導起電力によって所定の音を発するように構成される。なお、広告の内容に応じて、アンテナ部２８Ａの内側に発光部を設けてもよい。また、加飾フィルム４１には、任意の広告を印刷等により表示することが可能である。
【００４５】
この第２実施形態の装着体２０Ａによれば、前述した第１実施形態と同様の作用効果を得ることができる。さらに、装着体２０Ａをコンパクトに構成できるので、材料コストを下げることができる。また、設置スペースが狭い場所であっても、装着体２０Ａを無線端末に設置し易い。
【００４６】
（第３実施形態）
次に、本発明にかかる第３実施形態の装着体を図８に基づいて説明する。
第３実施形態は、本発明にかかる装着体を自動販売機に適用した例である。図８に示すように、この自動販売機１５は、清涼飲料やたばこ等を販売するものであり、開閉可能な正面扉１６を有する。正面扉１６の左右一側（ここでは右側）には、電子マネーの決済や購買者の成人認証等を行うための無線端末１１Ｂが配置される。
【００４７】
第３実施形態の装着体２０Ｂは、無線端末１１Ｂの正面に取り付けられる取り付け部２１Ｂと、取り付け部２１Ｂの端部から左右他側（ここでは左側）に向けて形成される連結部２３Ｂと、連結部２３Ｂに連なり正面扉１６の他側に配置される広告表示部２５Ｂとを有する。取り付け部２１Ｂには、アンテナ部（図示省略）が内蔵され、広告表示部２５Ｂには、発音部３１Ｂおよび発光部３２Ｂが内蔵される。発音部３１Ｂおよび発光部３２Ｂは、第１実施形態と同様に、連結部２３Ｂを介して取り付け部２１Ｂのアンテナ部と電気的に接続される。また、広告表示部２５Ｂには、所定の広告を表示するための表示２７Ｂが施される。
【００４８】
取り付け部２１Ｂのアンテナ部は、無線端末１１Ｂからの電磁波を拾い、誘導起電力を発生する。この誘導起電力により、広告表示部２５Ｂでは、発音部３１Ｂが所定の音を発したり、発光部３２Ｂが所定の光を発したりする。
【００４９】
この第３実施形態によれば、前述した第１実施形態と同様の作用効果が得られることに加え、屋内・屋外を問わず公共に広く設置されている自動販売機１５に効果的な広告機能を付加することができる。
【００５０】
なお、屋外に設置される自動販売機等に対して、本発明の装着体を適用する場合、各種のカバー部材や各種のシール部材を用いて、装着体を雨露から保護するための防水対策を施すことが望ましい。
【００５１】
（第４実施形態）
次に、本発明にかかる第４実施形態の装着体を図９に基づいて説明する。
図９に示すように、第４実施形態の装着体２０Ｃは、たとえば自動販売機の無線端末（図８、符号１１Ｂ）等に取り付けられる取り付け部２１Ｃと、広告表示部２５Ｃとを有する。取り付け部２１Ｃには、アンテナ部２８Ｃが内蔵され、かつ、接続コード４２ａが接続される。この接続コード４２ａの先端には、コネクタ４３ａが設けられる。広告表示部２５Ｃには、所定の広告を表示するための表示２７Ｃが設けられる。さらに、広告表示部２５Ｃには、発音部３１Ｃ、発光部３２Ｃ、コネクタ４３ａに着脱可能なコネクタ４３ｂが設けられる。このコネクタ４３ｂをコネクタ４３ａに接続することで、発音部３１Ｃおよび発光部３２Ｃは、第１実施形態と同様に、アンテナ部２８Ｃと電気的に接続される。図９に示すように、コネクタ４３ｂは、長いケーブルを介することなく広告表示部２５Ｃに直接設けられている。これにより交換時に安定してセットがし易くなる。
【００５２】
この第４実施形態によれば、前述した第１実施形態と同様の作用効果が得られることに加え、広告表示部２５Ｃのみを交換することができる。すなわち、コネクタ４３ａにコネクタ４３ｂを脱着することで、広告表示部２５Ｃを取り外し、別の広告表示部２５Ｃを取り付けることができる。したがって、表示や音、光の仕様が異なる別の広告に容易に変更することができる。また、広告表示部２５Ｃを変更しても、取り付け部２１Ｃ（アンテナ部２８Ｃ）は共用できるので、部品コストを抑えることができる。
【００５３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００５４】
たとえば、前述した各実施形態においては、１個の装着体を無線端末に装着したが、本発明は、これに限定されず、情報記録媒体と無線端末との通信を妨げない構成であれば、複数個の装着体を重ねてもよい。また、発音部の個数および発光部の個数についても、それぞれ複数でもよく、求められる広告の内容に応じて任意に設定可能である。
【００５５】
また、第１〜第４実施形態では、装着体２０，２０Ａ，２０Ｂ，２０Ｃを示したが、本発明の装着体は、これらの実施形態を適宜組み合わせたものであってもよい。
【００５６】
また、各実施形態では、販売店や自動販売機に設置される無線端末に本発明の装着体を適用した例を示したが、本発明の装着体は、たとえば、駅の自動改札やバス等の交通機関の乗降口などに設置される無線端末にも適用可能であり、格別に装着対象を限定するものではない。さらに、本発明の装着体は、リーダ／ライタ装置の他、読み取り専用のリーダ装置など各種の無線端末に適用可能である。
【符号の説明】
【００５７】
１１，１１Ｂ……無線端末、１２……ＩＣカード（情報記録媒体）、２０，２０Ａ〜Ｃ……装着体（無線端末用装着体）、２５，２５Ｂ〜Ｃ……広告表示部（表示部）、２７，２７Ｂ〜Ｃ……表示、２８，２８Ａ，２８Ｃ……アンテナ部、３１，３１Ａ〜Ｃ……発音部、３２，３２Ｂ〜Ｃ……発光部、３７……圧電素子、４１……加飾フィルム。
【図１】
2013182311.tif 000003
【図２】
2013182311.tif 000004
【図３】
2013182311.tif 000005
【図４】
2013182311.tif 000006
【図５】
2013182311.tif 000007
【図６】
2013182311.tif 000008
【図７】
2013182311.tif 000009
【図８】
2013182311.tif 000010
【図９】
2013182311.tif 000011